(57)【要約】【課題】コストを上げる事無く、発泡断熱容器あるいは発泡断熱容器を収納する板金容器の変形を抑制しながら、板金容器の振動を抑制し、発泡断熱容器からの騒音もれを防止することができる給湯室外機及び給湯空気調和機を提供することを目的とする。【解決手段】この発明に係る給湯室外機は、冷凍サイクル回路の冷媒と温水回路の水とが熱交換を行う温水用熱交換器を有する給湯室外機において、温水用熱交換器を収納する発泡断熱容器６と、発泡断熱容器６を収納する板金容器７と、発泡断熱容器６の外壁面に設けられ、板金容器７の内壁面と接触する凸部６ａとを備えたことを特徴とする。【選択図】図６
2008151400.tif 000002
【特許請求の範囲】
【請求項１】
冷凍サイクル回路の冷媒と温水回路の水とが熱交換を行う温水用熱交換器を有する給湯室外機において、
前記温水用熱交換器を収納する発泡断熱容器と、
前記発泡断熱容器を収納する板金容器と、
前記発泡断熱容器の外壁面に設けられ、前記板金容器の内壁面と接触する凸部とを備えたことを特徴とする給湯室外機。
【請求項２】
前記凸部は、前記発泡断熱容器と一体成形したことを特徴とする請求項１記載の給湯室外機。
【請求項３】
別部材の前記凸部を、前記発泡断熱容器に取り付けることを特徴とする請求項１記載の給湯室外機。
【請求項４】
前記別部材を、吸音材で構成したことを特徴とする請求項３記載の給湯室外機。
【請求項５】
請求項１乃至４のいずれかに記載の給湯室外機と、空調用室内機とを冷媒配管で接続し、空調及び給湯を行うことを特徴とする給湯空気調和機。
【発明の詳細な説明】
【技術分野】
【０００１】
この発明は、ヒートポンプ式給湯室外機及びこの給湯室外機を使用する給湯空気調和機に関するもので、特に、その構造の改良に関するものである。
【背景技術】
【０００２】
給湯装置の底面を支持する基板に搭載された発泡断熱容器に収納された水熱交換器は、基板を介在して周囲を覆う保護カバーと給湯装置の外装を形成する前板とを締結ビスにて締結する装置前面側での片支持固定となり、運転時における水熱交換器単体の振幅が大きく振動音が発生し防音性能が低下していた。その課題を解消する固定構造を用いた防音性能に優れたヒートポンプ給湯装置が求められているので、水熱交換器を収納する発泡断熱容器底面に基板の絞り形状に沿った凸形状を設けると共に、発泡断熱容器の外周を覆う保護カバーに遮音板に接触する折曲げ面を設け、隣接する遮音板より折曲げ面を挟み込むＬ型の切起し形状を設けた。さらに折曲げ面の遮音板のＬ型の切り起し形状との連結固定部を除く折曲げ面を延長し凹形状を形成したヒートポンプ装置が提案されている（例えば、特許文献１参照）。
【特許文献１】特開２００５−１４７６１９号公報
【発明の開示】
【発明が解決しようとする課題】
【０００３】
しかしながら、前記特許文献１に記載されたヒートポンプ装置は、保護カバーの振動を抑制させ、発泡断熱容器から出る騒音を遮音する為には発泡断熱容器の外壁面と保護カバーの内壁面の広い面で隙間無く接触させる必要があり、両者の嵌合がきつい場合には、発泡断熱容器と保護カバーの接触力が過大となり、発泡断熱容器あるいは保護カバーが大きく変形し、発泡断熱容器破損の原因となる等の課題があった。
【０００４】
また、嵌合がゆるいと保護カバーの振動が抑制できず、発泡断熱容器から出る騒音を遮音することができない等の課題があった。
【０００５】
また、適切な嵌合にする為には、発泡断熱容器の成型精度と保護カバーの成型精度上げる必要があり、著しくコストが上がる等の課題があった。
【０００６】
この発明は、上記のような課題を解決するためになされたもので、コストを上げる事無く、発泡断熱容器あるいは発泡断熱容器を収納する板金容器の変形を抑制しながら、板金容器の振動を抑制し、発泡断熱容器から出る騒音を遮音することができる給湯室外機及び給湯空気調和機を提供することを目的とする。
【課題を解決するための手段】
【０００７】
この発明に係る給湯室外機は、冷凍サイクル回路の冷媒と温水回路の水とが熱交換を行う温水用熱交換器を有する給湯室外機において、温水用熱交換器を収納する発泡断熱容器と、発泡断熱容器を収納する板金容器と、発泡断熱容器の外壁面に設けられ、板金容器の内壁面と接触する凸部とを備えたことを特徴とする。
【発明の効果】
【０００８】
この発明の給湯室外機は、発泡断熱容器の上外壁面に凸部を設け、凸部を板金容器の内壁面と接触させるように構成したので、板金容器の振動を抑制させ、発泡断熱容器からの騒音もれを防止する為に、発泡断熱容器の外壁面と板金容器の内壁面を隙間無く接触させる為に、両者の嵌合をきつくしても、発泡断熱容器と板金容器の接触力は過大とはならず、発泡断熱容器および板金容器の変形は抑制されるので、適切な嵌合にする為に発泡断熱容器の成形精度と板金容器の成形精度を上げる必要も無くなり、低コストで低振動で静粛な給湯室外機が得られるという効果を有する。
【発明を実施するための最良の形態】
【０００９】
実施の形態１．
図１乃至図６は実施の形態１を示す図で、図１は給湯室外機１００の分解斜視図、図２は給湯室外機１００の正面図、図３は給湯室外機１００の内部を示す斜視図、図４は給湯室外機１００の内部の温水用熱交換器１０を示す斜視図、図５は発泡断熱容器６の斜視図、図６は板金容器７内に発泡断熱容器６が収納されている状態を示す透視正面図である。
【００１０】
図１、２に示すように、給湯室外機１００は、外郭となる筐体１が、底板となる室外機ベース２、前面板及び側面板となる前面パネル３、側面板及び背面板となる側面パネル４、上面板となるトップパネル５により形成される。筐体１は、略直方体状である。
【００１１】
筐体１内部には、冷凍サイクル用熱交換器９、送風ファン（図示せず）、送風ファン用モータ１４、温水用熱交換器１０（図４参照）、圧縮機１５、水供給ポンプ１８等を収容している。温水用熱交換器は、収容壁１１と蓋１２とで構成される板金容器７の内部に収納されている。これについては、後述する。
【００１２】
前面パネル３の前面板に空気の吹出口３ａが形成されている。また、前面パネル３の側面板と、筐体１の背面側とに空気の吸込口３ｂが形成されている。
【００１３】
また、室外機ベース２の下部に、給湯室外機１００の設置用の脚２ａが形成されている。
【００１４】
図３に示すように、圧縮機１５は、上部に吐出管１６を有し、接続配管（図示せず）により温水用熱交換器１０に接続されている。また、圧縮機１５下部の脚部１５ａには、防振部材１７が取り付けられ、防振部材１７は、板金容器７の蓋１２上に設置されている。圧縮機１５を含む冷凍サイクルの冷媒には、例えば、ＣＯ２冷媒が使用される。
【００１５】
図４に示すように、板金容器７の収容壁１１の内部には、冷媒と水とが熱交換を行う温水用熱交換器１０が収納されている。温水用熱交換器１０についての説明は省略するが、冷媒配管と水配管とを接合し、熱交換可能に成形したものである。
【００１６】
温水用熱交換器１０は、例えば発泡スチロールからなる発泡断熱容器６（図５参照）内に収納され、さらに発泡断熱容器６は、収容壁１１と蓋１２とから構成される板金容器７内に収納される（図６参照）。
【００１７】
図５に示すように、発泡断熱容器６の上外壁面には、一体成型の複数（図５では４個）の直方体状の凸部６ａが、発泡断熱容器６の長手方向に配列されている。板金容器７内に発泡断熱容器６を収納した場合、発泡断熱容器６の上外壁面の凸部６ａが、蓋１２内壁面に確実に接触する構成とする。但し、凸部６ａは発泡断熱容器６の外壁面にあればよい。
【００１８】
次に動作について説明する。
冷凍サイクル回路及び温水回路は、公知のヒートポンプ式給湯機のものと同様である。
冷凍サイクル回路は、圧縮機１５、温水用熱交換器１０、膨張弁（図示せず）、冷凍サイクル用熱交換器９等を冷媒配管で接続し形成される。
温水回路は、水供給ポンプ１８（図１参照）、温水用熱交換器１０、貯湯槽（図示せず）等を配管接続し形成される。
【００１９】
温水用熱交換器１０では、冷凍サイクル回路の高温・高圧の冷媒ガスと温水回路の水とが熱交換して、温水を生成する。
【００２０】
冷凍サイクル回路の圧縮機１５は、運転中に回転体のトルク変動、回転体のアンバランス、内部で発生する冷媒圧力脈動により振動を発生している。この圧縮機１５の振動は、脚部１５ａより防振部材１７を介して板金容器７の蓋１２に伝達する。
【００２１】
また、圧縮機１５の吐出管１６からも温水用熱交換器１０に、圧縮機１５の振動が伝達し、発泡断熱容器６から騒音が出ている。
また、圧縮機１５内で発生した冷媒圧力脈動は、吐出管１６より温水用熱交換器１０内の冷媒に伝播し、その伝播経路での配管および温水用熱交換器１０で振動が発生し、発泡断熱容器６から騒音が出ている。
【００２２】
本実施の形態では、発泡断熱容器６の上外壁面の複数の凸部６ａが板金容器７の蓋１２内壁面に確実に接触しているので、凸部６ａと蓋１２との接触部で蓋１２の振動が抑えられ、板金容器７全体への伝達を抑制している。また、凸部６ａと蓋１２内壁面との接触により発泡断熱容器６の上部から出る騒音も遮音されるので、給湯室外機１００の板金容器７からの騒音発生を抑制することができる。
【００２３】
発泡断熱容器６の上外壁面の凸部６ａで部分的に板金容器７の蓋１２内壁面に接触しているので、両者の嵌合がきつくなっても凸部６ａのみが変形するので、接触力は過大とはならず、発泡断熱容器６および板金容器７が大きく変形することはない。従って、発泡断熱容器６と板金容器７との嵌合はある程度きつく設定できるので、両者共に嵌合管理の為に成形精度を上げる必要が無く、安価に成形可能となる。また、発泡断熱容器６の凸部６ａは、発泡断熱容器６に一体に成形されるので、さらに安価に成形可能となる。
【００２４】
実施の形態２．
実施の形態１では、発泡断熱容器６の凸部６ａは、発泡断熱容器６に一体で成形するようにしたものであるが、次に、発泡断熱容器６から漏れる騒音の吸音効果を上げる場合、または、発泡断熱容器６に一体成型の凸部６ａを設けるのが不可能な場合に、発泡断熱容器６に吸音材等の別部材を付けて凸部を形成する実施の形態２を説明する。
【００２５】
図７は実施の形態２を示す図で、発泡断熱容器６を示す斜視図である。図７に示すように、発泡断熱容器６の上外壁角部には吸音材８が接着されている。吸音材８の材質は、例えば、ポリエーテル系フォーム又は難燃性・後処理フォームである。
【００２６】
発泡断熱容器６の外壁面の上外壁角部に接着された吸音材８が板金容器７の蓋１２内壁面に確実に接触するので、発泡断熱容器６から出る騒音は吸音材８で吸音され、給湯室外機１００の騒音発生を抑制することができる。
【００２７】
実施の形態３．
以上の実施の形態１、２は、給湯室外機１００についての形態であるが、実施の形態１または実施の形態２の給湯室外機１００を空調用の室内機と冷媒配管で接続し、給湯空気調和機を構成してもよい。
【００２８】
この給湯空気調和機は、上記のような特徴ある給湯室外機１００を備え、空調及び接続した貯湯槽等への給湯が可能である。
【図面の簡単な説明】
【００２９】
【図１】実施の形態１を示す図で、給湯室外機１００の分解斜視図。
【図２】実施の形態１を示す図で、給湯室外機１００の正面図。
【図３】実施の形態１を示す図で、給湯室外機１００の内部を示す斜視図。
【図４】実施の形態１を示す図で、給湯室外機１００の内部の温水用熱交換器１０を示す斜視図。
【図５】実施の形態１を示す図で、発泡断熱容器６の斜視図。
【図６】実施の形態１を示す図で、板金容器７内に発泡断熱容器６が収納されている状態を示す透視正面図。
【図７】実施の形態２を示す図で、発泡断熱容器６を示す斜視図。
【符号の説明】
【００３０】
１  筐体、２  室外機ベース、２ａ  脚、３  前面パネル、３ａ  吹出口、３ｂ  吸込口、４  側面パネル、５  トップパネル、６  発泡断熱容器、６ａ  凸部、７  板金容器、８  吸音材、９  冷凍サイクル用熱交換器、１０  温水用熱交換器、１１  収容壁、１２  蓋、１４  送風ファン用モータ、１５  圧縮機、１５ａ  脚部、１６  吐出管、１７  防振部材、１８  水供給ポンプ、１００  給湯室外機。
【図１】
2008151400.tif 000003
【図２】
2008151400.tif 000004
【図３】
2008151400.tif 000005
【図４】
2008151400.tif 000006
【図５】
2008151400.tif 000007
【図６】
2008151400.tif 000008
【図７】
2008151400.tif 000009